(57)【特許請求の範囲】
【請求項１】
給水源から供給される洗浄水の止水と、前記洗浄水のおしり洗浄ノズルへの導出と、前記洗浄水のビデ洗浄ノズルへの導出との切替を行う切替弁と、
前記切替弁を少なくとも収容するケーシングと、
前記ケーシングの外部に、使用者によって回動軸線の回りの第一方向または前記第一方向と逆方向の第二方向に回動操作可能に設けられ、前記切替を手動にて実行可能とする操作レバーと、を備えた局部洗浄装置であって、
前記操作レバーは、
前記切替弁が前記洗浄水を止水する止水位置、前記止水位置から前記第一方向側に位置し、前記切替弁が前記洗浄水を前記おしり洗浄ノズルに導出するおしり洗浄位置、および、前記止水位置から前記第二方向側に位置し、前記切替弁が前記洗浄水を前記ビデ洗浄ノズルに導出するビデ洗浄位置を有し、
前記切替弁は、
内部に前記洗浄水を流通させる本体部と、
前記本体部に収容され、前記第一方向または前記第二方向に回動されることにより前記切替を行う弁体と、
軸状に設けられ、一端部が前記弁体に一体回転するように固定されるとともに、前記回動軸線の方向に沿って前記ケーシングの外部に延びるように設けられ、他端部に前記操作レバーが一体回転するように配置された軸部材と、
前記操作レバーを、前記おしり洗浄位置または前記ビデ洗浄位置から前記止水位置に自動にて戻すように回動させる自動戻し機構部と、を備え、
前記自動戻し機構部は、
前記本体部の外側に配置されたトーションバネであって、内側に前記軸部材を同軸に配置するコイル部と、前記コイル部の両端に設けられ、前記コイル部の径方向外側に向かって延びるように形成された第一アーム部および第二アーム部と、を有するトーションバネと、
前記軸部材に前記コイル部より前記軸部材の前記他端部側に一体回転するように設けられ、前記軸部材と共に回動する回動部と、を備え、
前記第一アーム部は、前記本体部から前記コイル部の径方向外側にて前記回動軸線に沿って前記軸部材の前記他端部側に向けて突出する第一突出部の前記第一方向側の第一端に、前記第一突出部を前記第二方向に向けて付勢するように配置され、
前記第二アーム部は、前記第一突出部の前記第二方向側の第二端に、前記第一突出部を前記第一方向に向けて付勢するように配置され、
前記回動部は、前記コイル部の径方向外側にて前記軸部材の前記一端部側に向けて突出するように設けられるとともに、前記操作レバーが前記止水位置に位置する場合、前記第一アーム部と前記第二アーム部との間に、かつ、前記回動軸線の回りにおいて前記第一突出部と重なるように配置される第二突出部が設けられている局部洗浄装置。
【請求項２】
前記切替弁は、前記操作レバーが前記おしり洗浄位置または前記ビデ洗浄位置から回動して前記止水位置に位置した時、クリック感を発生させるクリック機構部をさらに備えている請求項１記載の局部洗浄装置。
【発明の詳細な説明】
【技術分野】
【０００１】
本発明は、局部洗浄装置に関する。
【背景技術】
【０００２】
局部洗浄装置の一形態として、特許文献１に示されているものが知られている。特許文献１の局部洗浄装置は、洗浄開始操作を検出する洗浄スイッチ８Ａ、洗浄終了操作を検出する止スイッチ８Ｂ、使用者の着座を検出する着座検出部８Ｃ、使用者の手動による回動操作に応じておしり洗浄およびビデ洗浄の何れか一つを選択指示する洗浄切替つまみ９、おしり洗浄およびビデ洗浄を行うための洗浄水を噴出するノズル３、ノズル３への洗浄水の供給を調節する電磁弁である吐水弁２、および、洗浄切替つまみ９と機械的に連動する弁体を用いてノズル３内のおしり洗浄およびビデ洗浄の流路切替および噴出流量の調整を行う流路切替部３Ａを備えている。
【０００３】
洗浄切替つまみ９を中央の止水位置から左方向（反時計回り）のおしり洗浄位置に回動させることにより、おしり洗浄動作が選択される。この状態にて、着座検出部８Ｃにて使用者の着座が検出され、かつ、洗浄スイッチ８Ａによって洗浄開始操作が検出された場合、吐水弁２がノズル３に洗浄水を供給し、かつ、流路切替部３Ａがおしり洗浄の流路に切り替える。これにより、ノズル３から洗浄水が噴出して、おしり洗浄動作が実行される。
【０００４】
そして、止スイッチ８Ｂによって洗浄終了操作が検出された場合、吐水弁２がノズル３への洗浄水の供給を停止することにより、洗浄動作が停止される。なお、洗浄切替つまみ９を止水位置から右方向（時計回り）のビデ洗浄位置に回動させることにより、ビデ洗浄動作が選択される。このように、洗浄切替つまみ９がおしり洗浄位置またはビデ洗浄位置に位置する場合においても、吐水弁２によって洗浄水の供給および供給の停止（止水）が行われる。
【先行技術文献】
【特許文献】
【０００５】
【特許文献１】特開２００１−２２０８０２号公報
【発明の概要】
【発明が解決しようとする課題】
【０００６】
ところで、電力が供給されない場所においても局部洗浄装置を使用可能とするためには、電磁弁である吐水弁２を備えずに局部洗浄装置を構成する必要がある。そのためには、流路切替部３Ａ（切替弁）の弁体を、おしり洗浄およびビデ洗浄の流路切替および噴出流量の調整に加えて洗浄水の止水を行うことができるように構成する。これにより、洗浄切替つまみ９（操作レバー）が止水位置にある場合、切替弁によって洗浄水が止水される。なお、この局部洗浄装置においては、上述した特許文献１の局部洗浄装置における洗浄スイッチ８Ａ、止スイッチ８Ｂおよび着座検出部８Ｃに相当する電力の供給を要するものが構成されていない。
【０００７】
しかしながら、このように切替弁を構成した場合においては、操作レバーを回動させたとき、使用者の着座／非着座に関わらず洗浄水が噴出する。このため、例えば局部洗浄装置が公共の場所に設置されている場合においては、いたずら等によって操作レバーが回動されたとき、操作レバーが手動によって止水位置に戻されるまで洗浄水が噴出し続ける。
【０００８】
本発明は、上述した課題を解消するためになされたもので、洗浄水の止水と、洗浄水のおしり洗浄ノズルへの導出と、洗浄水のビデ洗浄ノズルへの導出との切替が、操作レバーによって手動にて行われる切替弁を備える局部洗浄装置において、操作レバーがおしり洗浄位置およびビデ洗浄位置から止水位置に自動で復帰することができることを目的とする。
【課題を解決するための手段】
【０００９】
上記の課題を解決するため、請求項１に係る局部洗浄装置は、給水源から供給される洗浄水の止水と、洗浄水のおしり洗浄ノズルへの導出と、洗浄水のビデ洗浄ノズルへの導出との切替を行う切替弁と、切替弁を少なくとも収容するケーシングと、ケーシングの外部に、使用者によって回動軸線の回りの第一方向または第一方向と逆方向の第二方向に回動操作可能に設けられ、切替を手動にて実行可能とする操作レバーと、を備えた局部洗浄装置であって、操作レバーは、切替弁が洗浄水を止水する止水位置、止水位置から第一方向側に位置し、切替弁が洗浄水をおしり洗浄ノズルに導出するおしり洗浄位置、および、止水位置から第二方向側に位置し、切替弁が洗浄水をビデ洗浄ノズルに導出するビデ洗浄位置を有し、切替弁は、内部に洗浄水を流通させる本体部と、本体部に収容され、第一方向または第二方向に回動されることにより切替を行う弁体と、軸状に設けられ、一端部が弁体に一体回転するように固定されるとともに、回動軸線の方向に沿ってケーシングの外部に延びるように設けられ、他端部に操作レバーが一体回転するように配置された軸部材と、操作レバーを、おしり洗浄位置またはビデ洗浄位置から止水位置に自動にて戻すように回動させる自動戻し機構部と、を備え、自動戻し機構部は、本体部の外側に配置されたトーションバネであって、内側に軸部材を同軸に配置するコイル部と、コイル部の両端に設けられ、コイル部の径方向外側に向かって延びるように形成された第一アーム部および第二アーム部と、を有するトーションバネと、軸部材にコイル部より軸部材の他端部側に一体回転するように設けられ、軸部材と共に回動する回動部と、を備え、第一アーム部は、本体部からコイル部の径方向外側にて回動軸線に沿って軸部材の他端部側に向けて突出する第一突出部の第一方向側の第一端に、第一突出部を第二方向に向けて付勢するように配置され、第二アーム部は、第一突出部の第二方向側の第二端に、第一突出部を第一方向に向けて付勢するように配置され、回動部は、コイル部の径方向外側にて軸部材の一端部側に向けて突出するように設けられるとともに、操作レバーが止水位置に位置する場合、第一アーム部と第二アーム部との間に、かつ、回動軸線の回りにおいて第一突出部と重なるように配置される第二突出部が設けられている。
【発明の効果】
【００１０】
これによれば、使用者によって操作レバーが回動操作された場合、軸部材を介して弁体および回動部の第二突出部が回動する。また、使用者が手動により操作レバーを、止水位置から第一方向に回動させて、おしり洗浄位置に位置するように操作した場合、第二突出部が第一アーム部を第一突出部の第一端からトーションバネの付勢力に抗して第一方向に回動させる。また、この場合、第二アーム部は、第一突出部の第二端に位置する。この状態において使用者の手が操作レバーから放された場合、第一アーム部からのトーションバネの付勢力によって第二突出部が第一アーム部とともに第二方向に回動する。このとき、回動部および軸部材が第二方向に回動するため、操作レバーがおしり洗浄位置から第二方向に自動で回動する。第一アーム部が第一端に戻ったとき、操作レバーが止水位置に自動で復帰する。
【００１１】
一方、使用者が手動により操作レバーを、止水位置から第二方向に回動させて、ビデ洗浄位置に位置するように操作した場合、第二突出部が第二アーム部を第一突出部の第二端からトーションバネの付勢力に抗して第二方向に回動させる。また、この場合、第一アーム部は、第一突出部の第一端に位置する。この状態において使用者の手が操作レバーから放された場合、第二アーム部からのトーションバネの付勢力によって、第二突出部が第二アーム部と共に第一方向に回動する。このとき、回動部および軸部材が第一方向に回動するため、操作レバーがビデ洗浄位置から第一方向に向けて自動で回動する。第二アーム部が第二端に戻ったとき、操作レバーが止水位置に自動で復帰する。
【００１２】
よって、洗浄水の止水と、洗浄水のおしり洗浄ノズルへの導出と、洗浄水のビデ洗浄ノズルへの導出との切替が、操作レバーによって手動にて行われる切替弁を備える局部洗浄装置において、トーションバネおよび回動部から構成される自動戻し機構部によって、操作レバーがおしり洗浄位置およびビデ洗浄位置から止水位置に自動で復帰することができる。
【図面の簡単な説明】
【００１３】
【図１】本発明による一実施形態に係る局部洗浄装置を示す斜視図である。
【図２】図１に示す局部洗浄装置の水回路を示す模式図である。
【図３】図１に示す操作レバーの側面図である。
【図４】図２に示す切替弁の斜視図である。
【図５】図４に示す切替弁の回動軸線の方向の断面図である。
【図６】図５に示す弁座および弁体の平面図であり、弁座の右側面と弁体の左側面とが接触している状態を示している。
【図７】図５に示すVII−VII線に沿った切替弁の断面図であり、操作レバーが止水位置に位置する状態を表している。なお、本図においてクリック機構部の図示は省略されている。
【図８】図５に示すVIII−VIII線に沿った切替弁の部分断面図であり、クリック機構部の動作を表している。
【図９】図７に示す切替弁の断面図であり、操作レバーがおしり洗浄位置に位置する場合のトーションバネの状態を表している。
【図１０】図７に示す切替弁の断面図であり、操作レバーがビデ洗浄位置に位置する場合のトーションバネの状態を表している。
【発明を実施するための形態】
【００１４】
以下、本発明による局部洗浄装置の一実施形態について説明する。なお、本明細書においては説明の便宜上、図１における上側および下側をそれぞれ局部洗浄装置１の上方および下方とし、同じく右下側および左上側をそれぞれ局部洗浄装置１の前方および後方とし、同じく左下側および右上側を、それぞれ局部洗浄装置１の右方および左方として説明する。また、図２を除いた各図１，３〜１０には、各方向を示す矢印を示している。
【００１５】
局部洗浄装置１は、水道配管３（本発明の給水源に相当；図２参照）から導入した洗浄水を噴出することにより、人体を洗浄する洗浄機能を有するものである。また、本実施形態の局部洗浄装置１は、洗浄機能を動作させる場合において電力を不要とするものである。
【００１６】
局部洗浄装置１は、図１に示すように腰掛式便器２に取り付けられている。局部洗浄装置１は、洗浄装置本体部１０、便座２０および便座２０を覆う便蓋３０を備えている。便座２０および便蓋３０は、洗浄装置本体部１０に回動可能に保持されている。
【００１７】
洗浄装置本体部１０は、図１および図２に示すように、ケーシング１１、切替弁１２（４０）、おしり洗浄ノズル１３、ビデ洗浄ノズル１４および操作レバー１５を備えている。
ケーシング１１は、切替弁１２を少なくとも収容するものである。ケーシング１１は、中空の箱状に形成されている。ケーシング１１は、具体的には、切替弁１２、おしり洗浄ノズル１３およびビデ洗浄ノズル１４を収容する。
【００１８】
切替弁１２は、水道配管３から供給される洗浄水の止水と、洗浄水のおしり洗浄ノズル１３への導出と、洗浄水のビデ洗浄ノズル１４への導出との切替を行うものである。切替弁１２は、水道配管３に取り付けられた分岐水栓３ａに、洗浄水が流れる第一洗浄水路Ｌ１を介して接続されている。分岐水栓３ａは、水道配管３に流れる上水を洗浄水として第一洗浄水路Ｌ１に導出する。第一洗浄水路Ｌ１は、例えば給水ホースである。
【００１９】
また、切替弁１２は、第二洗浄水路Ｌ２を介して洗浄水をおしり洗浄ノズル１３へ導出するとともに、第三洗浄水路Ｌ３を介して洗浄水をビデ洗浄ノズル１４へ導出する。第二，第三洗浄水路Ｌ２，Ｌ３は、例えばシリコンゴムで形成されたホースである。切替弁１２の詳細は後述する。
【００２０】
おしり洗浄ノズル１３は、第二洗浄水路Ｌ２からの洗浄水を噴出して、おしり洗浄を行うものである。ビデ洗浄ノズル１４は、第三洗浄水路Ｌ３からの洗浄水を噴出して、ビデ洗浄を行うものである。
【００２１】
操作レバー１５は、直方体状に形成されるとともに、図１に示すように、ケーシング１１の外部に設けられている。操作レバー１５は、具体的には、ケーシング１１の右側面の外側に配置されている。操作レバー１５は、使用者が便座２０に着座した状態にて手動にて操作可能な位置に設けられている。
【００２２】
また、操作レバー１５は、図３に示すように、使用者によって回動軸線Ａの回りの第一方向Ｄ１または第一方向Ｄ１と逆方向の第二方向Ｄ２に手動にて回動操作可能に設けられている。回動軸線Ａは、操作レバー１５の後側にて左右方向に沿って延びるように設けられている（図３および図５参照）。第一方向Ｄ１は、操作レバー１５を洗浄装置本体部１０の右側から見た場合に、操作レバー１５が時計回りに回動する方向である。第二方向Ｄ２は、操作レバー１５を洗浄装置本体部１０の右側から見た場合に、操作レバー１５が反時計回りに回動する方向である。
【００２３】
操作レバー１５は、止水位置Ｐｓ１、おしり洗浄位置Ｐｓ２およびビデ洗浄位置Ｐｓ３を有している。止水位置Ｐｓ１は、切替弁１２が水道配管３からの洗浄水を止水する位置である。操作レバー１５は、止水位置Ｐｓ１に位置する場合、長手方向を前後方向とするように設けられている。
【００２４】
おしり洗浄位置Ｐｓ２は、止水位置Ｐｓ１から第一方向Ｄ１側に位置し、切替弁１２が洗浄水をおしり洗浄ノズル１３に導出する位置である。操作レバー１５は、止水位置Ｐｓ１から第一方向Ｄ１に回動することにより、おしり洗浄位置Ｐｓ２に位置する（図３の一点破線を参照）。
【００２５】
ビデ洗浄位置Ｐｓ３は、止水位置Ｐｓ１から第二方向Ｄ２側に位置し、切替弁１２が洗浄水をビデ洗浄ノズル１４に導出する位置である。操作レバー１５は、止水位置Ｐｓ１から第二方向Ｄ２に回動することにより、ビデ洗浄位置Ｐｓ３に位置する（図３の二点破線を参照）。
【００２６】
このように、操作レバー１５は、切替弁１２による水道配管３からの洗浄水の止水と、洗浄水のおしり洗浄ノズル１３への導出と、洗浄水のビデ洗浄ノズル１４への導出との切替を手動にて実行可能とするものである。
【００２７】
次に、切替弁４０について詳細に説明する。
切替弁４０は、図４に示すように、切替弁本体部５０（本発明の本体部に相当）、自動戻し機構部６０およびクリック機構部７０（図５参照）を備えている。切替弁本体部５０は、内部に洗浄水を流通させるものである。切替弁本体部５０は、給水ポート部５０ａ、接続部５０ｂおよび水路切替部５０ｃを備えている。
【００２８】
給水ポート部５０ａは、第一洗浄水路Ｌ１に接続され、第一洗浄水路Ｌ１からの洗浄水を接続部５０ｂに導出する洗浄水路を構成するものである。接続部５０ｂは、給水ポート部５０ａからの洗浄水を水路切替部５０ｃに導出する洗浄水路を構成するものである。接続部５０ｂには、ストレーナ（図なし）、逆止弁（図なし）および定圧弁（図なし）が、給水ポート部５０ａ側から水路切替部５０ｃ側に向けてこの順に設けられている。
【００２９】
ストレーナは、上水に含まれるゴミ等を除去するものである。ストレーナは、接続部５０ｂに着脱可能に設けられている。逆止弁は、分岐水栓３ａから各洗浄ノズル１３，１４への洗浄水の流れを許容するが、逆方向の流れを規制するものである。定圧弁は、水道配管３からの洗浄水の圧力値をおよそ一定に調整するものである。
【００３０】
水路切替部５０ｃは、接続部５０ｂからの洗浄水の止水と、洗浄水の第二洗浄水路Ｌ２への導出と、洗浄水の第三洗浄水路Ｌ３への導出との切替を行うものである。水路切替部５０ｃは、図５に示すように、第一ハウジング５１、第二ハウジング５２、弁座５３、弁体５４および軸部材５５を備えている。
【００３１】
第一ハウジング５１は、一端に開口部５１ａを有する円筒状に形成されている。第一ハウジング５１は、回動軸線Ａと同軸に、かつ、右方に向けて開口するように配置されている。第一ハウジング５１は、導入口５１ｂ、第一導出ポート５１ｃ（図４参照）および第二導出ポート５１ｄを有している。
【００３２】
導入口５１ｂは、第一ハウジング５１の周側壁に形成され、接続部５０ｂからの洗浄水を第一ハウジング５１の内部に導入する穴である。第一導出ポート５１ｃは、第一ハウジング５１の内部と第二洗浄水路Ｌ２とを接続するものである。第二導出ポート５１ｄは、第一ハウジング５１の内部と第三洗浄水路Ｌ３とを接続するものである。
【００３３】
第二ハウジング５２は、第一ハウジング５１の開口部５１ａに、例えばＯリングによって液密に、ネジ等によって固定されている。第二ハウジング５２は、第一ハウジング５１の開口部５１ａを覆う板状の蓋部５２ａ、第一保持部５２ｂ、第二保持部５２ｃ、凸部５２ｄ、第一突出部５２ｅおよびストッパ部５２ｆを有している。
【００３４】
蓋部５２ａは、板状に形成され、第一ハウジング５１の開口部５１ａを覆うように配置されている。第一保持部５２ｂは、軸部材５５を回動軸線Ａの回りに回動可能に保持するものである。第一保持部５２ｂは、蓋部５２ａから第一ハウジング５１の内部に向けて突出する円筒状に、回動軸線Ａと同軸に設けられている。
【００３５】
第二保持部５２ｃは、後述するトーションバネ６１を保持するものである。第二保持部５２ｃは、蓋部５２ａから右方に向けて突出する円筒状に、回動軸線Ａと同軸に設けられている。凸部５２ｄは、第二保持部５２ｃの内側にて、蓋部５２ａから右方に向けて凸状に、かつ、上下方向に延びるように形成されている（図８参照）。
【００３６】
第一突出部５２ｅは、蓋部５２ａの上端部にて回動軸線Ａに沿って右方向（後述する軸部材５５の他端部）に向けて突出するように形成されている。第一突出部５２ｅは、断面円弧状に形成されている（図７参照）。また、第一突出部５２ｅは、後述するように、コイル部６１ａの径方向外側にて、第一アーム部６１ｂおよび第二アーム部６１ｃに接触可能に軸部材５５の他端部側に向けて突出するように形成されている。
【００３７】
ストッパ部５２ｆは、蓋部５２ａの下端部にて右方向に向けて突出するように、かつ、断面円弧状（図７参照）に形成されている。ストッパ部５２ｆは、後述する第一回動部材６２の回動を規制するものである。
【００３８】
弁座５３は、第一ハウジング５１内に収容されている。弁座５３は、円板状に形成されている（図５および図６参照）。弁座５３は、左側面を第一ハウジング５１の左側壁の内面に液密に接触するように、第一ハウジング５１に対して相対回転不能に固定されている。弁座５３は、洗浄水が流れる流路である、第一貫通穴５３ａ、第二貫通穴５３ｂ、第一溝５３ｃおよび第二溝５３ｄが形成されている。
【００３９】
第一貫通穴５３ａは、図６に示すように、右側面の前下側に形成され、第一ハウジング５１の内部と第一導出ポート５１ｃとを接続する貫通穴である。第二貫通穴５３ｂは、右側面の後下側に形成され、第一ハウジング５１の内部と第二導出ポート５１ｄとを接続する貫通穴である。
【００４０】
第一溝５３ｃは、弁座５３の右側面の前側にて上下方向に延びるように、かつ、下端が第一貫通穴５３ａに接続する平面視円弧状に形成されている。第二溝５３ｄは、弁座５３の右側面の後側にて上下方向に延びるように、かつ、下端が第二貫通穴５３ｂに接続する平面視円弧状に形成されている。また、第一溝５３ｃおよび第二溝５３ｄは、上端から下端に向けて流路断面積が大きくなるように形成されている。
【００４１】
弁体５４は、図５に示すように、第一ハウジング５１内に収容されている。弁体５４は、円板状に形成されている（図５および図６参照）。また、弁体５４は、軸部材５５と回動軸線Ａの回りに一体回転するように、軸部材５５の一端部（左端部）が嵌合する有底の断面Ｄ字形状の穴部５４ａが形成されている。
【００４２】
弁体５４は、左側面が弁座５３の右側面に、回動軸線Ａの回りに液密に摺動可能に配置されている。弁体５４は、軸部材５５を介して操作レバー１５によって、回動軸線Ａの回りに第一方向Ｄ１または第二方向Ｄ２に回動するように配置されている（詳細は後述する）。
【００４３】
弁体５４は、左側面に洗浄水が流れる流路である第三溝５４ｂが形成されている。第三溝５４ｂは、左側面の中央部から径方向外側に向けて一定の深さにて延びるように、かつ、周側面５４ｃにて開口するように形成されている。
【００４４】
弁体５４は、図６に示すように、基準位置Ｐｂ１、第一連通位置Ｐｂ２および第二連通位置Ｐｂ３を有している。弁体５４が基準位置Ｐｂ１に位置する場合、第三溝５４ｂが弁座５３の第一溝５３ｃと第二溝５３ｄとの間における、第一溝５３ｃおよび第二溝５３ｄと連通しない位置に位置する（図６の破線を参照）。
【００４５】
第一連通位置Ｐｂ２は、第三溝５４ｂが基準位置Ｐｂ１から第一方向Ｄ１に回動することにより、第三溝５４ｂと第一溝５３ｃひいては第一貫通穴５３ａとが連通する位置である（図６の一点破線を参照）。第二連通位置Ｐｂ３は、第三溝５４ｂが基準位置Ｐｂ１から第二方向Ｄ２側に回動することにより、第三溝５４ｂと第二溝５３ｄひいては第二貫通穴５３ｂとが連通する位置である（図６の二点破線を参照）。
【００４６】
軸部材５５は、図５に示すように、軸状に設けられ、一端部（左端部）が弁体５４に一体回転するように固定されている。また、軸部材５５は、回動軸線Ａの方向に沿って各ハウジング５１，５２ひいてはケーシング１１の外部に延びるように設けられている。軸部材５５は、複数の段差を有するように形成され、一端部から他端部（右端部）に向けて順に、弁体固定部５５ａ、大径部５５ｂ、中径部５５ｃおよび小径部５５ｄが形成されている。
【００４７】
弁体固定部５５ａは、弁体５４の穴部５４ａに嵌る断面Ｄ字形状に形成されている。大径部５５ｂおよび中径部５５ｃは、断面円状に形成されている。中径部５５ｃは、第二ハウジング５２の第一保持部５２ｂの内側に、例えばＯリングによって液密に保持されるとともに、軸部材５５が回動軸線Ａの回りに回動可能に保持されている。小径部５５ｄは、断面Ｄ字形状に形成されている。
【００４８】
また、軸部材５５（小径部５５ｄ）は、他端部に操作レバー１５が一体回転するように、かつ着脱可能に配置されている。操作レバー１５には、軸部材５５（小径部５５ｄ）の他端部と回動軸線Ａの回りに一体回転するように嵌合する断面Ｄ字状の穴部（図示なし）が形成されている。この穴部に軸部材５５の他端部が差し込まれることにより、操作レバー１５が軸部材５５に取り付けられる。一方、この穴部から軸部材５５の他端部が引抜かれることにより、操作レバー１５が軸部材５５から取り外される。
【００４９】
このように軸部材５５が形成されることにより、操作レバー１５が第一方向Ｄ１に回動された場合、軸部材５５を介して弁体５４が第一方向Ｄ１に回動する。また、操作レバー１５が第二方向Ｄ２に回動された場合、軸部材５５を介して弁体５４が第二方向Ｄ２に回動する。
【００５０】
また、操作レバー１５が止水位置Ｐｓ１に位置する場合、弁体５４が基準位置Ｐｂ１に位置するように軸部材５５が設けられている。すなわち、操作レバー１５が止水位置Ｐｓ１から第一方向Ｄ１に回動しておしり洗浄位置Ｐｓ２に位置する場合、弁体５４が基準位置Ｐｂ１から第一方向Ｄ１に回動して第一連通位置Ｐｂ２に位置する。また、操作レバー１５が止水位置Ｐｓ１から第二方向Ｄ２に回動してビデ洗浄位置Ｐｓ３に位置する場合、弁体５４が基準位置Ｐｂ１から第二方向Ｄ２に回動して第二連通位置Ｐｂ３に位置する。
【００５１】
自動戻し機構部６０は、操作レバー１５を、おしり洗浄位置Ｐｓ２またはビデ洗浄位置Ｐｓ３から止水位置Ｐｓ１に自動にて戻すように回動させるものである。自動戻し機構部６０は、図４に示すように、トーションバネ６１および第一回動部材６２（本発明の回動部に相当）を備えている。
【００５２】
トーションバネ６１は、第二ハウジング５２の右側に配置されている（図４および図５参照）。トーションバネ６１は、図５に示すように、コイル部６１ａ、および、コイル部６１ａの両端に設けられ、コイル部６１ａの径方向外側に向かって延びるように形成された第一アーム部６１ｂおよび第二アーム部６１ｃを有している（図７参照）。
コイル部６１ａは、第二保持部５２ｃの径方向外側に、回動軸線Ａと同軸に配置されている。コイル部６１ａは、内側に軸部材５５を同軸に配置する。
【００５３】
第一アーム部６１ｂは、図７に示すように、第一突出部５２ｅの第一方向Ｄ１側の第一端５２ｅ１に着脱可能に接触するように配置されている。また、第一アーム部６１ｂは、第一突出部５２ｅを第二方向Ｄ２に向けて付勢するように配置されている。
【００５４】
第二アーム部６１ｃは、第一突出部５２ｅの第二方向Ｄ２側の第二端５２ｅ２に着脱可能に接触するように配置されている。また、第二アーム部６１ｃは、第一突出部５２ｅを第一方向Ｄ１に向けて付勢するように配置されている。
【００５５】
第一回動部材６２は、図５に示すように、軸部材５５にコイル部６１ａより軸部材５５の他端部側に、第二保持部５２ｃの右端が接触するように配置されている。第一回動部材６２は、円板部６２ａおよび第二突出部６２ｂを有している。
【００５６】
円板部６２ａは、円板状に形成され、中心部に、軸部材５５の小径部５５ｄが貫通する断面Ｄ字形状の貫通穴６２ａ１を有している。これにより、第一回動部材６２は、軸部材５５と一体回転するように設けられている。第一回動部材６２は、回動軸線Ａの回りに第一方向Ｄ１および第二方向Ｄ２に、軸部材５５と共に回動する。
【００５７】
第二突出部６２ｂは、コイル部６１ａの径方向外側にて、第一アーム部６１ｂおよび第二アーム部６１ｃに接触可能に軸部材５５の一端部側に向けて突出するように形成されている。第二突出部６２ｂは、断面円弧状（図７参照）にて、円板部６２ａから突出するように設けられている。
【００５８】
また、第二突出部６２ｂは、操作レバー１５が止水位置Ｐｓ１に位置する場合、第一アーム部６１ｂと第二アーム部６１ｃとの間に、かつ、回動軸線Ａの回りにおいて第一突出部５２ｅと重なる位置（以下、原位置Ｐｔ１とする。）となるように配置されている。第一回動部材６２が第一方向Ｄ１または第二方向Ｄ２に回動して、第二突出部６２ｂとストッパ部５２ｆとが接触した場合、第一回動部材６２の回動量が規制される。
【００５９】
クリック機構部７０は、操作レバー１５がおしり洗浄位置Ｐｓ２またはビデ洗浄位置Ｐｓ３から回動して止水位置Ｐｓ１に位置した時、クリック感を発生させるものである。クリック機構部７０は、図５に示すように、第二回動部材７１、スプリング７２および蓋部材７３を備えている。
【００６０】
第二回動部材７１は、円板状に形成され（図５および図８参照）、コイル部６１ａおよび第二ハウジング５２の第二保持部５２ｃの内側にて、左側面が第二ハウジング５２の蓋部５２ａの右側面に押し付けられるように配置されている。
【００６１】
第二回動部材７１は、軸部材５５（小径部５５ｄ）が貫通する断面Ｄ字形状の貫通穴７１ａを有している。これにより、第二回動部材７１は、軸部材５５と一体回転するように設けられている。第二回動部材７１は、回動軸線Ａの回りに第一方向Ｄ１および第二方向Ｄ２に、軸部材５５と共に回動する。
【００６２】
また、第二回動部材７１は、左側面に凹部７１ｂが形成されている。凹部７１ｂは、左側面の中央部から径方向に向けて周側面まで延びる溝である。凹部７１ｂは、操作レバー１５が止水位置Ｐｓ１に位置する場合、第二ハウジング５２の凸部５２ｄが離脱可能に嵌る位置に形成されている（図８の破線を参照）。
【００６３】
操作レバー１５が、止水位置Ｐｓ１から第一方向Ｄ１または第二方向Ｄ２に回動して、止水位置Ｐｓ１以外の位置（おしり洗浄位置Ｐｓ２およびビデ洗浄位置Ｐｓ３）に位置する場合、凹部７１ｂが凸部５２ｄに嵌らない（図８の一点破線および二点破線を参照）。この場合、第二回動部材７１の左側面が、凸部５２ｄに乗り上げた状態になっている。
【００６４】
スプリング７２は、第二回動部材７１を切替弁本体部５０の第二ハウジング５２に向けて付勢するコイルスプリングである。スプリング７２は、回動軸線Ａの径方向において、軸部材５５と、コイル部６１ａかつ第二ハウジング５２の第二保持部５２ｃとの間に配置されている。
【００６５】
蓋部材７３は、スプリング７２の右端を支持するものである。蓋部材７３は、第二保持部５２ｃの右端部の内側に、例えばスナップフィットを用いて固定されている。蓋部材７３は、中央部に軸部材５５が回動軸線Ａの回りに相対回転するように貫通する貫通穴７３ｂを有している。
【００６６】
次に、上述した切替弁４０の動作について、操作レバー１５が止水位置Ｐｓ１に位置している状態から説明する。なお、切替弁４０は、給水ポート部５０ａが第一洗浄水路Ｌ１および分岐水栓３ａを介して水道配管３に接続されているため、洗浄水が、給水ポート部５０ａ、接続部５０ｂを介して水路切替部５０ｃの第一ハウジング５１の内部に導入されるとともに、洗浄水が弁体５４の周側面５４ｃから第三溝５４ｂに導入される。
【００６７】
操作レバー１５が止水位置Ｐｓ１に位置する場合、上述したように、弁体５４が基準位置Ｐｂ１に位置する。この場合、弁体５４の第三溝５４ｂが弁座５３の第一溝５３ｃおよび第二溝５３ｄと連通しないため、洗浄水が第三溝５４ｂにて止水される。また、この場合、自動戻し機構部６０においては、第一回動部材６２の第二突出部６２ｂが原位置Ｐｔ１に位置する（図５および図７参照）。さらに、この場合、クリック機構部７０においては、第二回動部材７１の凹部７１ｂが凸部５２ｄに嵌っている（図５および図８参照）。
【００６８】
操作レバー１５が使用者によって止水位置Ｐｓ１から第一方向Ｄ１に回動されて、おしり洗浄位置Ｐｓ２に位置した場合（図３参照）、軸部材５５を介して弁体５４が基準位置Ｐｂ１から第一方向Ｄ１に回動されて第一連通位置Ｐｂ２に位置する（図６参照）。この場合、第三溝５４ｂと第一溝５３ｃとが連通する。よって、洗浄水が第三溝５４ｂから第一溝５３ｃ、第一貫通穴５３ａを介して第一導出ポート５１ｃから第二洗浄水路Ｌ２に導出される。なお、第一溝５３ｃが、上述したように上端から下端に向かって流路断面積が増加するように形成されているため、操作レバー１５の第一方向Ｄ１への操作量が大きくなるに従って、第二洗浄水路Ｌ２に導出される洗浄水の流量（単位時間当たりの流量）が増加する。
【００６９】
また、この場合、自動戻し機構部６０においては、図９に示すように、第一回動部材６２の第二突出部６２ｂが原位置Ｐｔ１から軸部材５５と共に第一方向Ｄ１に回動されるため、第二突出部６２ｂが第一アーム部６１ｂをトーションバネ６１の付勢力に抗して、第一突出部５２ｅの第一端５２ｅ１から離すとともに第一方向Ｄ１に回動させる。この場合、第一アーム部６１ｂの第二突出部６２ｂに対する第二方向Ｄ２への付勢力が増加する。また、このとき、第二アーム部６１ｃは、第一突出部５２ｅの第二端５２ｅ２に接触したままである。
【００７０】
さらに、この場合、クリック機構部７０においては、図８に示すように、第二回動部材７１が軸部材５５と共に第一方向Ｄ１に回動されるため、凹部７１ｂから凸部５２ｄが外れる。よって、第二回動部材７１の左側面が、凸部５２ｄに乗り上げるとともに、スプリング７２によって凸部５２ｄに押し付けられる。
【００７１】
操作レバー１５がおしり洗浄位置Ｐｓ２に位置する場合において、使用者の手が操作レバー１５から放されたとき、自動戻し機構部６０においては、第一アーム部６１ｂからのトーションバネ６１の付勢力によって、第二突出部６２ｂが第一アーム部６１ｂと共に第二方向Ｄ２に回動する。そして、第一アーム部６１ｂが第一端５２ｅ１に戻ったとき、第二突出部６２ｂが原位置Ｐｔ１に復帰する（図７参照）。
【００７２】
このとき、第一回動部材６２ひいては軸部材５５が共に自動にて第二方向Ｄ２に回動するため、操作レバー１５がおしり洗浄位置Ｐｓ２から第二方向Ｄ２に自動で回動する。そして、第二突出部６２ｂが原位置Ｐｔ１に復帰したとき、操作レバー１５が止水位置Ｐｓ１に復帰する。また、このとき、軸部材５５を介して弁体５４が第一連通位置Ｐｂ２から自動で回動し、基準位置Ｐｂ１に復帰するため、洗浄水が止水される。
【００７３】
さらに、このとき、クリック機構部７０においては、軸部材５５を介して第二回動部材７１が第二方向Ｄ２に回動して、凹部７１ｂが凸部５２ｄに嵌る。この時、第二回動部材７１の左側面が、凸部５２ｄに乗り上げた状態から、スプリング７２の付勢力によって蓋部５２ａの右側面に打ち付けられるため、振動および衝突音が発生する。よって、使用者が、衝突音によってクリック感を感じる。また、この振動が軸部材５５を介して操作レバー１５に伝播するため、使用者が操作レバー１５に触れている場合、この振動によって使用者がクリック感を感じる。このように、クリック機構部７０は、クリック感を発生させる。
【００７４】
一方、操作レバー１５が使用者によって止水位置Ｐｓ１から第二方向Ｄ２に回動されてビデ洗浄位置Ｐｓ３に位置した場合（図３参照）、軸部材５５を介して弁体５４が基準位置Ｐｂ１から第二方向Ｄ２に回動されて第二連通位置Ｐｂ３に位置する（図６参照）。この場合、第三溝５４ｂと第二溝５３ｄとが連通する。よって、洗浄水が第三溝５４ｂから第二溝５３ｄ、第二貫通穴５３ｂを介して第二導出ポート５１ｄから第三洗浄水路Ｌ３に導出される。なお、第二溝５３ｄが、上述したように上端から下端に向かって流路断面積が増加するように形成されているため、操作レバー１５の第二方向Ｄ２への操作量が大きくなるに従って、第三洗浄水路Ｌ３に導出される洗浄水の流量（単位時間当たりの流量）が増加する。
【００７５】
また、この場合、自動戻し機構部６０においては、図１０に示すように、第一回動部材６２の第二突出部６２ｂが原位置Ｐｔ１から軸部材５５と共に第二方向Ｄ２に回動されるため、第二突出部６２ｂが第二アーム部６１ｃをトーションバネ６１の付勢力に抗して、第一突出部５２ｅの第二端５２ｅ２から離すとともに第二方向Ｄ２に回動させる。この場合、第二アーム部６１ｃの第二突出部６２ｂに対する第一方向Ｄ１への付勢力が増加する。また、このとき、第一アーム部６１ｂは、第一突出部５２ｅの第一端５２ｅ１に接触したままである。
【００７６】
さらに、この場合、クリック機構部７０においては、図８に示すように、第二回動部材７１が軸部材５５と共に第二方向Ｄ２に回動されるため、凹部７１ｂから凸部５２ｄが外れる。よって、第二回動部材７１の左側面が凸部５２ｄに乗り上げるとともに、スプリング７２によって凸部５２ｄに押し付けられる。
【００７７】
操作レバー１５がビデ洗浄位置Ｐｓ３に位置する場合において、使用者の手が操作レバー１５から放されたとき、自動戻し機構部６０においては、第二アーム部６１ｃからのトーションバネ６１の付勢力によって、第二突出部６２ｂが第二アーム部６１ｃと共に第一方向Ｄ１に回動する。そして、第二アーム部６１ｃが第二端５２ｅ２に戻ったとき、第二突出部６２ｂが原位置Ｐｔ１に復帰する（図７参照）。
【００７８】
このとき、第一回動部材６２ひいては軸部材５５が共に自動にて第一方向Ｄ１に回動するため、操作レバー１５がビデ洗浄位置Ｐｓ３から第一方向Ｄ１に自動で回動する。そして、第二突出部６２ｂが原位置Ｐｔ１に復帰したとき、操作レバー１５が止水位置Ｐｓ１に復帰する。また、このとき、軸部材５５を介して弁体５４が第二連通位置Ｐｂ３から自動で回動し、基準位置Ｐｂ１に復帰するため、洗浄水が止水される。
【００７９】
さらに、このとき、クリック機構部７０においては、軸部材５５を介して第二回動部材７１が第一方向Ｄ１に回動して、凹部７１ｂが凸部５２ｄに嵌る。この時、上述したように、振動および衝突音が発生するため、使用者がクリック感を感じることができる。
【００８０】
本実施形態によれば、局部洗浄装置１は、水道配管３から供給される洗浄水の止水と、洗浄水のおしり洗浄ノズル１３への導出と、洗浄水のビデ洗浄ノズル１４への導出との切替を行う切替弁４０と、切替弁４０を少なくとも収容するケーシング１１と、ケーシング１１の外部に、使用者によって回動軸線Ａの回りの第一方向Ｄ１または第一方向Ｄ１と逆方向の第二方向Ｄ２に回動操作可能に設けられ、切替を手動にて実行可能とする操作レバー１５と、を備えている。操作レバー１５は、切替弁４０が洗浄水を止水する止水位置Ｐｓ１、止水位置Ｐｓ１から第一方向Ｄ１側に位置し、切替弁４０が洗浄水をおしり洗浄ノズル１３に導出するおしり洗浄位置Ｐｓ２、および、止水位置Ｐｓ１から第二方向Ｄ２側に位置し、切替弁４０が洗浄水をビデ洗浄ノズル１４に導出するビデ洗浄位置Ｐｓ３を有している。切替弁４０は、内部に洗浄水を流通させる切替弁本体部５０と、切替弁本体部５０に収容され、第一方向Ｄ１または第二方向Ｄ２に回動されることにより切替を行う弁体５４と、軸状に設けられ、一端部が弁体５４に一体回転するように固定されるとともに、回動軸線Ａの方向に沿ってケーシング１１の外部に延びるように設けられ、他端部に操作レバー１５が一体回転するように配置された軸部材５５と、操作レバー１５を、おしり洗浄位置Ｐｓ２またはビデ洗浄位置Ｐｓ３から止水位置Ｐｓ１に自動にて戻すように回動させる自動戻し機構部６０と、を備えている。自動戻し機構部６０は、切替弁本体部５０の外側に配置されたトーションバネ６１であって、内側に軸部材５５を同軸に配置するコイル部６１ａと、コイル部６１ａの両端に設けられ、コイル部６１ａの径方向外側に向かって延びるように形成された第一アーム部６１ｂおよび第二アーム部６１ｃと、を有するトーションバネ６１と、軸部材５５にコイル部６１ａより軸部材５５の他端部側に一体回転するように設けられ、軸部材５５と共に回動する第一回動部材６２と、を備えている。第一アーム部６１ｂは、切替弁本体部５０からコイル部６１ａの径方向外側にて回動軸線Ａに沿って軸部材５５の他端部側に向けて突出する第一突出部５２ｅの第一方向Ｄ１側の第一端５２ｅ１に、第一突出部５２ｅを第二方向Ｄ２に向けて付勢するように配置されている。第二アーム部６１ｃは、第一突出部５２ｅの第二方向Ｄ２側の第二端５２ｅ２に、第一突出部５２ｅを第一方向Ｄ１に向けて付勢するように配置されている。第一回動部材６２は、コイル部６１ａの径方向外側にて軸部材５５の一端部側に向けて突出するように設けられるとともに、操作レバー１５が止水位置Ｐｓ１に位置する場合、第一アーム部６１ｂと第二アーム部６１ｃとの間に、かつ、回動軸線Ａの回りにおいて第一突出部５２ｅと重なるように配置される第二突出部６２ｂが設けられている。
【００８１】
これによれば、使用者によって操作レバー１５が回動操作された場合、軸部材５５を介して弁体５４および第一回動部材６２の第二突出部６２ｂが回動する。また、使用者が手動により操作レバー１５を、止水位置Ｐｓ１から第一方向Ｄ１に回動させて、おしり洗浄位置Ｐｓ２に位置するように操作した場合、第二突出部６２ｂが第一アーム部６１ｂを第一突出部５２ｅの第一端５２ｅ１からトーションバネ６１の付勢力に抗して第一方向Ｄ１に回動させる。また、この場合、第二アーム部６１ｃは、第一突出部５２ｅの第二端５２ｅ２に位置する。この状態において使用者の手が操作レバー１５から放された場合、第一アーム部６１ｂからのトーションバネ６１の付勢力によって、第二突出部６２ｂが第一アーム部６１ｂと共に第二方向Ｄ２に回動する。このとき、第一回動部材６２および軸部材５５が第二方向Ｄ２に回動するため、操作レバー１５がおしり洗浄位置Ｐｓ２から第二方向Ｄ２に向けて自動で回動する。第一アーム部６１ｂが第一端５２ｅ１に戻ったとき、操作レバー１５が止水位置Ｐｓ１に自動で復帰する。
【００８２】
一方、使用者が手動により操作レバー１５を、止水位置Ｐｓ１から第二方向Ｄ２に回動させて、ビデ洗浄位置Ｐｓ３に位置するように操作した場合、第二突出部６２ｂが第二アーム部６１ｃを第一突出部５２ｅの第二端５２ｅ２からトーションバネ６１の付勢力に抗して第二方向Ｄ２に回動させる。また、この場合、第一アーム部６１ｂは、第一突出部５２ｅの第一端５２ｅ１に位置する。この状態において使用者の手が操作レバー１５から放された場合、第二アーム部６１ｃからのトーションバネ６１の付勢力によって、第二突出部６２ｂが第二アーム部６１ｃと共に第一方向Ｄ１に回動する。このとき、第一回動部材６２および軸部材５５が第一方向Ｄ１に回動するため、操作レバー１５がビデ洗浄位置Ｐｓ３から第一方向Ｄ１に向けて自動で回動する。第二アーム部６１ｃが第二端５２ｅ２に戻ったとき、操作レバー１５が止水位置Ｐｓ１に自動で復帰する。
【００８３】
よって、洗浄水の止水と、洗浄水のおしり洗浄ノズル１３への導出と、洗浄水のビデ洗浄ノズル１４への導出との切替が、操作レバー１５によって手動にて行われる切替弁４０を備える局部洗浄装置１において、トーションバネ６１および第一回動部材６２から構成される自動戻し機構部６０によって、操作レバー１５がおしり洗浄位置Ｐｓ２およびビデ洗浄位置Ｐｓ３から止水位置Ｐｓ１に自動で復帰することができる。
【００８４】
また、局部洗浄装置１が、おしり洗浄ノズル１３およびビデ洗浄ノズル１４を独立して有する場合においても、洗浄水のおしり洗浄ノズル１３への導出とビデ洗浄ノズル１４への導出との切替を比較的簡便に行うことができる。
【００８５】
また、切替弁４０は、操作レバー１５がおしり洗浄位置Ｐｓ２またはビデ洗浄位置Ｐｓ３から回動して止水位置Ｐｓ１に位置した時、クリック感を発生させるクリック機構部７０をさらに備えている。
【００８６】
これによれば、使用者が操作レバー１５を操作して、操作レバー１５が止水位置Ｐｓ１に位置した時、クリック機構部７０がクリック感を発生するため、操作レバー１５が止水位置Ｐｓ１に位置したことを使用者が確実に検知することができる。よって、使用者は、洗浄水の止水を確実に行うことができる。
【００８７】
なお、上述した実施形態において、局部洗浄装置の一例を示したが、本発明はこれに限定されず、他の構成を採用することもできる。例えば、局部洗浄装置１には電力が供給されていないが、これに代えて、局部洗浄装置１に電力を供給するようにしても良い。この場合、局部洗浄装置１が、例えば、洗浄水を加熱するヒータをさらに備えるようにしても良い。
【００８８】
また、上述した実施形態において、切替弁４０は、クリック機構部７０を備えているが、これに代えて、クリック機構部７０を備えないようにしても良い。
また、上述した実施形態において、局部洗浄装置１は、第一回動部材６２と軸部材５５とが別体に設けられているが、これに代えて、第一回動部材６２と軸部材５５とを一体に設けるようにしても良い。
【００８９】
また、上述した実施形態において、おしり洗浄ノズル１３とビデ洗浄ノズル１４とが別体に設けられているが、これに代えて、おしり洗浄ノズル１３とビデ洗浄ノズル１４とを一体に設けるようにしても良い。
【００９０】
また、本発明の要旨を逸脱しない範囲において、第一突出部５２ｅおよび第二突出部６２ｂの位置や形状、凸部５２ｄおよび凹部７１ｂの位置や形状、並びに、弁体５４および弁座５３の各溝の位置および形状を変更しても良い。
【符号の説明】
【００９１】
１…局部洗浄装置、１１…ケーシング、１２（４０）…切替弁、１３…おしり洗浄ノズル、１４…ビデ洗浄ノズル、１５…操作レバー、２０…便座、３０…便蓋、５０…切替弁本体部（本体部）、５１…第一ハウジング、５２…第二ハウジング、５２ｄ…凸部、５２ｅ…第一突出部、５２ｅ１…第一端、５２ｅ２…第二端、５３…弁座、５４…弁体、５５…軸部材、６０…自動戻し機構部、６１…トーションバネ、６１ａ…コイル部、６１ｂ…第一アーム部、６１ｃ…第二アーム部、６２…第一回動部材（回動部）、６２ｂ…第二突出部、７０…クリック機構部、７１…第二回動部材、７２…スプリング、Ａ…回動軸線、Ｄ１…第一方向、Ｄ２…第二方向、Ｐｂ１…基準位置、Ｐｂ２…第一連通位置、Ｐｂ３…第二連通位置、Ｐｓ１…止水位置、Ｐｓ２…洗浄位置、Ｐｓ３…ビデ洗浄位置。
【図１】
0006766419.tif 000002
【図２】
0006766419.tif 000003
【図３】
0006766419.tif 000004
【図４】
0006766419.tif 000005
【図５】
0006766419.tif 000006
【図６】
0006766419.tif 000007
【図７】
0006766419.tif 000008
【図８】
0006766419.tif 000009
【図９】
0006766419.tif 000010
【図１０】
0006766419.tif 000011